(57)【要約】【課題】比較的安価で、チラツキ等の画質劣化が少ないプロジェクタを提供すること。【解決手段】制御装置６０の制御下で、移動装置４０が各色用の液晶ライトバルブ２５Ｒ，２５Ｇ，２５ＢをＸ軸方向に沿った直線的な往復経路に沿って一体的に繰り返し移動させるので、各色用の液晶ライトバルブ２５Ｒ，２５Ｇ，２５Ｂによって変調された像光Ｌ２を、共用の投射レンズ３０によって順次投射することができる。つまり、比較的安価な各色の液晶ライトバルブ２５Ｒ，２５Ｇ，２５Ｂと、無駄のない単一の投射レンズ３０とによってカラー画像を投射することができる。また、各色の液晶ライトバルブ２５Ｒ，２５Ｇ，２５Ｂを順次動作させる分だけデータ書込みに時間的に余裕が生じるので、液晶ライトバルブ２５Ｒ，２５Ｇ，２５Ｂの応答速度に起因する投射画像のチラツキを低減することができる。【選択図】図１
2008158275.tif 000002
【特許請求の範囲】
【請求項１】
複数色の照明光を射出する照明装置と、
前記照明装置から射出された各色の照明光を、画像情報に応じてそれぞれ変調する各色
用の光変調装置と、
前記各色用の光変調装置を所定の経路に沿って一体的に繰り返し移動させる移動装置と
、
前記移動装置によって移動する前記各色用の光変調装置のうちいずれか１つの光変調装
置が前記所定の経路上の投射位置に配置された場合に、当該１つの光変調装置によって変
調された各色の像光を投射する投射光学系と、
前記移動装置の動作に応じて前記各色用の光変調装置の変調動作のタイミングを調整す
る制御装置と
を備えるプロジェクタ。
【請求項２】
前記移動装置によって移動する前記各色用の光変調装置の位置を検出する位置センサを
さらに備える請求項１記載のプロジェクタ。
【請求項３】
前記移動装置は、直線的な往復移動を可能にするスライド機構を有する請求項１及び請
求項２のいずれか一項記載のプロジェクタ。
【請求項４】
前記移動装置は、前記各色用の光変調装置を往復移動の方向に沿って配列して固定する
支持部材を有し、
前記支持部材は、前記スライド機構に案内されて前記各色用の光変調装置とともに移動
する請求項３記載のプロジェクタ。
【請求項５】
前記制御装置は、前記移動装置を間欠的に動作させて、前記各色用の光変調装置のうち
いずれか１つの光変調装置が投射位置に配置された場合に、当該１つの光変調装置に表示
動作を行わせる請求項１から請求項４のいずれか一項記載のプロジェクタ。
【発明の詳細な説明】
【技術分野】
【０００１】
本発明は、液晶パネル等に形成された画像を投射によって表示するプロジェクタに関す
る。
【背景技術】
【０００２】
従来のプロジェクタとして、各色のライトバルブと各色の投射レンズとをそれぞれ備え
る３色の投射ユニットを組み込んで、カラー画像を投射するものが知られている（特許文
献１参照）。
【０００３】
また、共通の光源から光束を分離して各色の液晶パネルに導き、合成プリズムで各色の
像を合成してカラー画像を得るプロジェクタも存在する（特許文献２参照）。
【０００４】
さらに、液晶パネルと投射レンズとを備える投射ユニットに、時分割で３色の色光を供
給することによって時系列的に画像を重ね合わせたカラー画像を投射するプロジェクタも
存在する（特許文献３参照）。
【特許文献１】特開２００４−２１９９００号公報の図８
【特許文献２】特開２００４−６９９６６号公報
【特許文献３】特開平８−２７８５１２号公報
【発明の開示】
【発明が解決しようとする課題】
【０００５】
しかし、３色の投射ユニットを組み込むタイプのプロジェクタは、高価な投射レンズ等
が３組必要になり、無駄が多く高価になりやすい。また、各色の液晶パネルで形成された
像を合成プリズムで合成するタイプのプロジェクタは、照明光の分岐が必要になって光源
系の複雑化を招き、高価な合成プリズムが必要になる。さらに、時系列的な画像の重ね合
わせを行うタイプのプロジェクタは、液晶パネルの応答速度に起因してチラツキ等の画質
劣化が生じる傾向がある。
【０００６】
そこで、本発明は、比較的安価で、チラツキ等の画質劣化しにくいプロジェクタを提供
することを目的とする。
【課題を解決するための手段】
【０００７】
上記課題を解決するため、本発明に係るプロジェクタは、（ａ）複数色の照明光を射出
する照明装置と、（ｂ）照明装置から射出された各色の照明光を、画像情報に応じてそれ
ぞれ変調する各色用の光変調装置と、（ｃ）各色用の光変調装置を所定の経路に沿って一
体的に繰り返し移動させる移動装置と、（ｄ）移動装置によって移動する各色用の光変調
装置のうちいずれか１つの光変調装置が所定の経路上の投射位置に配置された場合に、当
該１つの光変調装置によって変調された各色の像光を投射する投射光学系と、（ｅ）移動
装置の動作に応じて各色用の光変調装置の変調動作のタイミングを調整する制御装置とを
備える。ここで、光変調装置は、例えば液晶ライトバルブとして実現される。
【０００８】
上記プロジェクタでは、移動装置が各色用の光変調装置を所定の経路に沿って一体的に
繰り返し移動させるので、各色用の光変調装置によって変調された像光を、共用の投射光
学系によって順次投射することができる。つまり、制御装置によって移動装置の動作に応
じて各色用の光変調装置の変調動作のタイミングを調整すれば、比較的安価な複数の光変
調装置と単一の投射光学系とによってカラー画像を投射することができるだけでなく、光
変調装置の応答速度に起因する表示のチラツキを低減することができる。
【０００９】
また、本発明の具体的な側面又は態様では、上記プロジェクタにおいて、移動装置によ
って移動する各色用の光変調装置の位置を検出する位置センサをさらに備える。この場合
、各色用の光変調装置の実際の位置を確認しながら、正確なタイミングで各色用の光変調
装置を動作させることができる。
【００１０】
また、本発明の別の態様では、移動装置が、直線的な往復移動を可能にするスライド機
構を有する。この場合、各色用の光変調装置を所定の光路上で直線的に往復移動させなが
ら、所定の経路上の投射位置に順次配置することができる。
【００１１】
また、本発明の別の態様では、移動装置が、各色用の光変調装置を往復移動の方向に沿
って配列して固定する支持部材を有し、支持部材が、スライド機構に案内されて各色用の
光変調装置とともに移動する。この場合、各色用の光変調装置を一体的に移動させて投射
位置に順次配置することができる。
【００１２】
また、本発明の別の態様では、制御装置が、移動装置を間欠的に動作させて、各色用の
光変調装置のうちいずれか１つの光変調装置が投射位置に配置された場合に、当該１つの
光変調装置に表示動作を行わせる。この場合、光変調装置が投射位置において間欠的に動
作することになり、光変調装置による表示状態を投射位置に合わせて設定し易い。
【発明を実施するための最良の形態】
【００１３】
図１（Ａ）は、本発明の第１実施形態に係るプロジェクタを説明する平面図であり、図
１（Ｂ）は、図１（Ａ）に示すプロジェクタの側面図である。
【００１４】
図示のプロジェクタ１０は、３つの画像形成ユニット２０Ｒ，２０Ｇ，２０Ｂと、投射
レンズ３０と、移動装置４０と、位置センサ５０と、制御装置６０とを備える。各画像形
成ユニット２０Ｒ，２０Ｇ，２０Ｂは、赤（Ｒ）、緑（Ｇ）、及び青（Ｂ）に対応する各
色の像光を形成する。投射レンズ３０は、画像形成ユニット２０Ｒ，２０Ｇ，２０Ｂのう
ち光軸ＯＡ０上の投射位置に配置されたいずれか１つの画像形成ユニット２０Ｒ，２０Ｇ
，２０Ｂによって変調された像光を拡大投射する。移動装置４０は、各画像形成ユニット
２０Ｒ，２０Ｇ，２０Ｂの光軸ＯＡ１をＹ軸方向に保ってＸ軸方向に沿って往復移動させ
る。位置センサ５０は、移動装置４０によって移動する画像形成ユニット２０Ｒ，２０Ｇ
，２０Ｂにいずれが投射位置にあるか否かを検出する。制御装置６０は、各画像形成ユニ
ット２０Ｒ，２０Ｇ，２０Ｂの動作を制御するとともに、各画像形成ユニット２０Ｒ，２
０Ｇ，２０Ｂと移動装置４０との動作タイミングの同期をとる制御を行っている。以上の
要素のうち、画像形成ユニット２０Ｒ，２０Ｇ，２０Ｂと移動装置４０とは、遮光等を目
的としたケース７５内に収められており、このケース７５の正面に埋め込むようにして投
射レンズ３０が固定されている。
【００１５】
図２は、画像形成ユニット２０Ｒの平面構造を概念的に説明する図である。画像形成ユ
ニット２０Ｒは、照明光を発生する光源装置２１Ｒと、光源装置２１Ｒから射出された照
明光Ｌ１を均一化する均一化光学系２３Ｒと、均一化光学系２３Ｒからの照明光Ｌ１によ
って照明される液晶ライトバルブ２５Ｒとを備える。これらの光源装置２１Ｒ、均一化光
学系２３Ｒ、及び液晶ライトバルブ２５Ｒは、遮光及び防塵を目的としたケース２７内に
収められている。ただし、液晶ライトバルブ２５Ｒの射出面は、ケース２７の正面に露出
している。
【００１６】
以上において、光源装置２１Ｒは、赤色の照明光Ｌ１を発生する照明装置であり、発光
源２１ａと、集光ミラー２１ｂとを備える。発光源２１ａは、例えばＬＥＤ等の個体発光
素子であり、低電力で高輝度の赤色光を発生する。集光ミラー２１ｂは、発光源２１ａか
ら周囲に放射された赤色光を回収して前方に射出させる。これら発光源２１ａ及び集光ミ
ラー２１ｂは、互いにアライメントされた状態で一体化されており、例えば駆動用の回路
を備える支持基板２１ｃ上にマウントされている。この光源装置２１Ｒからは、赤色の照
明光Ｌ１がある程度絞られた角度範囲内に射出される。
【００１７】
均一化光学系２３Ｒは、集光レンズ２３ａと、ロッドインテグレータ２３ｃとを備える
。集光レンズ２３ａは、光源装置２１Ｒからの照明光Ｌ１を集めるとともに、ロッドイン
テグレータ２３ｃに入射させる照明光を平行光束に近づける。ロッドインテグレータ２３
ｃは、透明なプリズムで形成され、その側面内面は、通常のミラー又は全反射ミラーとし
て機能する。このロッドインテグレータ２３ｃにおいて、集光レンズ２３ａ側の入射端面
ＩＰから入射した照明光Ｌ１を液晶ライトバルブ２５Ｒ側の射出端面ＯＰから射出させる
が、この際、側面内面での反射によって光束の分割及び重畳を行って、射出端面ＯＰから
射出される照明光Ｌ１の均一化を行う。
【００１８】
液晶ライトバルブ２５Ｒは、照明光から像光を形成するための光変調装置であり、赤色
の照明光Ｌ１が入射する液晶パネル２５ａと、この液晶パネル２５ａを挟むように配置さ
れる１組の偏光フィルタ２５ｂ，２５ｃとを備える。ここで、液晶パネル２５ａは、入射
した照明光Ｌ１の偏光方向の空間的分布を変化させるための非発光で透過型の光変調装置
であり、液晶パネル２５ａに入射した照明光Ｌ１は、液晶パネル２５ａに電気的信号とし
て入力された駆動信号或いは画像信号に応じて、画素単位でその偏光状態が調整される。
その際、偏光フィルタ２５ｂ，２５ｃによって、液晶パネル２５ａに入射する照明光の偏
光方向が調整されるとともに、液晶パネル２５ａから射出される光から所定の偏光方向の
変調光が取り出される。つまり、液晶ライトバルブ２５Ｒからは、赤色の像光Ｌ２が光軸
ＯＡ１方向に沿って射出される。
【００１９】
図１に戻って、緑色用の画像形成ユニット２０Ｇも、上記画像形成ユニット２０Ｒと同
様の構造を有し、光源装置２１Ｇと、均一化光学系２３Ｇと、液晶ライトバルブ２５Ｇと
を有する。これら光源装置２１Ｇ、均一化光学系２３Ｇ、及び液晶ライトバルブ２５Ｇは
、赤色用の画像形成ユニット２０Ｒを構成する光源装置２１Ｒ、均一化光学系２３Ｒ、及
び液晶ライトバルブ２５Ｒと同様の構造を有し、光源装置２１Ｇから射出され均一化光学
系２３Ｇを経た緑色の照明光で照明された液晶ライトバルブ２５Ｇからは、緑色の像光が
光軸ＯＡ１方向に沿って射出される。
【００２０】
青色用の画像形成ユニット２０Ｂも、上記画像形成ユニット２０Ｒと同様の構造を有し
、光源装置２１Ｂと、均一化光学系２３Ｂと、液晶ライトバルブ２５Ｂとを有する。これ
ら光源装置２１Ｂ、均一化光学系２３Ｂ、及び液晶ライトバルブ２５Ｂは、赤色用の画像
形成ユニット２０Ｒを構成する光源装置２１Ｒ、均一化光学系２３Ｒ、及び液晶ライトバ
ルブ２５Ｒと同様の構造を有し、光源装置２１Ｂから射出され均一化光学系２３Ｂを経た
青色の照明光で照明された液晶ライトバルブ２５Ｂからは青色の像光が光軸ＯＡ１方向に
沿って射出される。
【００２１】
投射レンズ３０は、Ｙ軸方向に延びる光軸ＯＡ０を有する投射光学系である。投射レン
ズ３０は、光軸ＯＡ０の一方側であって入射端３１に対向する位置に形成された画像を、
光軸ＯＡ０の他方側であって射出端３２の延長方向に配置されたスクリーン上に拡大投射
することができる。
【００２２】
移動装置４０は、スライドガイド４１と、スライドテーブル４３と、駆動装置４５とを
備える。スライドガイド４１は、スライドテーブル４３を支持してＸ軸方向の任意の位置
に滑らかに移動させるためのスライド機構である。スライドテーブル４３は、支持部材で
あり、画像形成ユニット２０Ｒ，２０Ｇ，２０Ｂを、スライドガイド４１の往復移動の方
向であるＸ軸方向に沿って配列した状態で固定する。結果的に、各画像形成ユニット２０
Ｒ，２０Ｇ，２０Ｂに設けた液晶ライトバルブ２５Ｒ，２５Ｇ，２５Ｂも、Ｘ軸方向に沿
って配列された状態で固定される。駆動装置４５は、一対のプーリ４５ａ，４５ｂと、搬
送ベルト４５ｄと、ステップモータ４５ｅとを備える。一対のプーリ４５ａ，４５ｂは、
スライドガイド４１の固定部材側のスライドベースに回転可能に取り付けられている。搬
送ベルト４５ｄは、両プーリ４５ａ，４５ｂに掛け渡されるとともに、一部において可動
側のスライドテーブル４３に固定されている。ステップモータ４５ｅは、一方のプーリ４
５ａを任意の量だけ回転させることができ、スライドテーブル４３をスライドガイド４１
上で任意の位置に移動させることができる。
【００２３】
なお、移動装置４０において、駆動装置４５は、プーリ４５ａ，４５ｂや搬送ベルト４
５ｄからなる伝達機構に限らず、ラック・アンド・ピニオンやクランク・シャフトといっ
た、回転から直進への様々な往復伝達機構を用いることができる。
【００２４】
図３は、スライドテーブル４３の移動を説明する図である。図３（Ａ）に示す状態では
、画像形成ユニット２０Ｒが投射レンズ３０の後部である投射位置に配置されており、画
像形成ユニット２０Ｒの光軸ＯＡ１（図１（Ａ）参照）が投射レンズ３０の光軸ＯＡ０と
一致している。つまり、投射レンズ３０は、画像形成ユニット２０Ｒによって変調された
赤色の像光Ｌ２を投射する。図３（Ｂ）に示す状態では、画像形成ユニット２０Ｇが投射
レンズ３０の後部である投射位置に配置されており、画像形成ユニット２０Ｇの光軸ＯＡ
１（図１（Ａ）参照）が投射レンズ３０の光軸ＯＡ０と一致している。つまり、投射レン
ズ３０は、画像形成ユニット２０Ｇによって変調された緑色の像光Ｌ２を投射する。図３
（Ｃ）に示す状態では、画像形成ユニット２０Ｂが投射レンズ３０の後部である投射位置
に配置されており、画像形成ユニット２０Ｂの光軸ＯＡ１（図１（Ａ）参照）が投射レン
ズ３０の光軸ＯＡ０と一致している。つまり、投射レンズ３０は、画像形成ユニット２０
Ｂによって変調された青色の像光Ｌ２を投射する。図３（Ｃ）に示す状態の後には、図３
（Ａ）に示す状態に戻って同様の状態が繰り返される。以上をまとめると、各色の画像形
成ユニット２０Ｒ，２０Ｇ，２０Ｂが投射レンズ３０に対向する投射位置に間欠的な移動
によって順次繰り返し配置され、各色の画像形成ユニット２０Ｒ，２０Ｇ，２０Ｂによっ
て形成された像光が投射レンズ３０によって時分割で投射されることになる。
【００２５】
図１に戻って、位置センサ５０は、例えばフォトカプラとフォトインタラプタとで構成
され、スライドテーブル４３が予め設定された目標位置に移動したか否かを位置信号とし
て検出する。つまり、位置センサ５０は、スライドテーブル４３上の各画像形成ユニット
２０Ｒ，２０Ｇ，２０Ｂが投射位置に配置されているか否かや、どの画像形成ユニット２
０Ｒ，２０Ｇ，２０Ｂが投射位置に配置されているかに関する情報を制御装置６０に出力
する。なお、位置センサ５０は、フォトカプラやフォトインタラプタに限らず、様々な検
出装置を採用することができる。例えば、駆動装置４５に設けたステップモータ４５ｅに
供給する駆動パルスから位置信号を得ることができる。
【００２６】
制御装置６０は、マイコン等の電子部品で構成され、各画像形成ユニット２０Ｒ，２０
Ｇ，２０Ｂに電力を供給する電源部６１と、各画像形成ユニット２０Ｒ，２０Ｇ，２０Ｂ
に供給すべき画像信号を送信する信号処理部６３と、各画像形成ユニット２０Ｒ，２０Ｇ
，２０Ｂの動作タイミングを制御するタイミング制御部６５とを備える。制御装置６０と
、各画像形成ユニット２０Ｒ，２０Ｇ，２０Ｂとは、フレキシブルケーブル７１を介して
接続されている。フレキシブルケーブル７１は、電源部６１からの電力と、信号処理部６
３からの画像信号とを各画像形成ユニット２０Ｒ，２０Ｇ，２０Ｂに供給する。また、フ
レキシブルケーブル７１は、各画像形成ユニット２０Ｒ，２０Ｇ，２０Ｂに設けた光源装
置２１Ｒ，２１Ｇ，２１Ｂの点灯及び消灯のタイミングを指示する照明コマンド信号や、
各画像形成ユニット２０Ｒ，２０Ｇ，２０Ｂに設けた液晶ライトバルブ２５Ｒ，２５Ｇ，
２５Ｂへのデータ書込みのタイミングを指示する書換コマンド信号を出力する。
【００２７】
なお、制御装置６０は、各画像形成ユニット２０Ｒ，２０Ｇ，２０Ｂに対して、当初の
カラー画像に対応する画像信号を分離した各色の画像信号を、対応する色用の画像形成ユ
ニット２０Ｒ，２０Ｇ，２０Ｂに対して個別に送信する。
【００２８】
図４は、制御装置６０によるタイミング制御を説明するチャートである。図４（Ａ）は
、赤色用の画像形成ユニット２０Ｒの動作タイミングを示し、このうち、実線は光源装置
２１Ｒのオン・オフを示し、点線は液晶ライトバルブ２５Ｒのデータ書換を示す。同様に
、図４（Ｂ）は、緑色用の画像形成ユニット２０Ｇの動作タイミングを示し、このうち、
実線は光源装置２１Ｇのオン・オフを示し、点線は液晶ライトバルブ２５Ｇのデータ書換
を示す。さらに、図４（Ｃ）は、青色用の画像形成ユニット２０Ｂの動作タイミングを示
し、このうち、実線は光源装置２１Ｂのオン・オフを示し、点線は液晶ライトバルブ２５
Ｂのデータ書換を示す。なお、図４（Ｄ）は、位置センサ５０の検出出力を示し、各画像
形成ユニット２０Ｒ，２０Ｇ，２０Ｂが順次投射位置に配置されていることが分かる。
【００２９】
以上のチャートから明らかなように、このプロジェクタ１０では、各画像形成ユニット
２０Ｒ，２０Ｇ，２０Ｂが投射位置に配置された期間だけ、対応する画像形成ユニット２
０Ｒ，２０Ｇ，２０Ｂの光源装置２１Ｒ，２１Ｇ，２１Ｂを間欠的にオン状態にしており
、各画像形成ユニット２０Ｒ，２０Ｇ，２０Ｂが投射レンズ３０に正対する状態でのみ画
像を投射することができ、各画像形成ユニット２０Ｒ，２０Ｇ，２０Ｂによる投射画像を
スクリーン上で正確に重ね合わせることができる。つまり、プロジェクタ１０によってス
クリーン上にカラー画像を投射することができる。この際、各画像形成ユニット２０Ｒ，
２０Ｇ，２０Ｂの液晶ライトバルブ２５Ｒ，２５Ｇ，２５Ｂへのデータ書込みには、少な
くとも他の液晶ライトバルブの投射時間分だけ時間的余裕が与えられるので、書込み応答
速度の遅い液晶ライトバルブ２５Ｒ，２５Ｇ，２５Ｂであっても、十分な余裕を持って表
示状態を安定させることができる。よって、プロジェクタ１０による投射像のチラツキ等
の弊害を極めて低減することができる。
【００３０】
以上の説明から明らかなように、本実施形態のプロジェクタ１０では、制御装置６０の
制御下で、移動装置４０が各色用の液晶ライトバルブ２５Ｒ，２５Ｇ，２５ＢをＸ軸方向
に沿った直線的な往復経路に沿って一体的に繰り返し移動させるので、各色用の液晶ライ
トバルブ２５Ｒ，２５Ｇ，２５Ｂによって変調された像光Ｌ２を、共用の投射レンズ３０
によって順次投射することができる。つまり、比較的安価な各色の液晶ライトバルブ２５
Ｒ，２５Ｇ，２５Ｂと、無駄のない単一の投射レンズ３０とによってカラー画像を投射す
ることができる。しかも、各色の液晶ライトバルブ２５Ｒ，２５Ｇ，２５Ｂを順次動作さ
せる分だけデータ書込みに時間的に余裕が生じるので、書き込みの応答速度に起因する投
射画像のチラツキを低減することができる。
【００３１】
〔第２実施形態〕
以下、第２実施形態のプロジェクタについて説明する。第２実施形態のプロジェクタは
、第１実施形態のプロジェクタを部分的に変形したものであり、特に説明しない部分につ
いては、第１実施形態と同様の構成となっているものとする。
【００３２】
図５は、第２実施形態のプロジェクタを説明する平面図である。本実施形態のプロジェ
クタ１１０において、各色の画像形成ユニット１２０Ｒ，１２０Ｇ，１２０Ｂは、個別の
光源を有しておらず、光源装置１２１を共用の照明装置として活用する。すなわち、画像
形成ユニット２０Ｒは、光源装置１２１から射出された照明光を均一化する均一化光学系
２３Ｒと、均一化光学系２３Ｒからの照明光によって照明される液晶ライトバルブ２５Ｒ
とを備える。同様に、緑色用の画像形成ユニット２０Ｇは、均一化光学系２３Ｇと、液晶
ライトバルブ２５Ｇとを有し、青色用の画像形成ユニット２０Ｂは、均一化光学系２３Ｂ
と、液晶ライトバルブ２５Ｂとを有する。共用の光源装置１２１は、光源装置１２１は、
赤、緑、及び青色の３色のＬＥＤチップを発光源として内蔵するものである。光源装置１
２１は、各画像形成ユニット１２０Ｒ，１２０Ｇ，１２０Ｂと独立しており、不図示の手
段によってスライドガイド４１の固定部材側に固定されている。
【００３３】
本実施形態のプロジェクタ１１０において、移動装置４０によって赤色用の画像形成ユ
ニット１２０Ｒが投射位置に配置された場合、光源装置１２１の光軸ＯＡ２と、図面右側
の画像形成ユニット１２０Ｒの光軸ＯＡ１と、投射レンズ３０の光軸ＯＡ０とが一致する
。つまり、光源装置１２１によって画像形成ユニット１２０Ｒが照明され、赤色用の画像
形成ユニット１２０Ｒによって形成された像光が投射レンズ３０によって不図示のスクリ
ーン上に投射される。この際、光源装置１２１からは、赤色の照明光が射出される。同様
に、緑色用の画像形成ユニット１２０Ｇが投射位置に配置された場合、光源装置１２１の
光軸ＯＡ２と、図面中央の画像形成ユニット１２０Ｇの光軸ＯＡ１と、投射レンズ３０の
光軸ＯＡ０とが一致する。つまり、光源装置１２１によって画像形成ユニット１２０Ｇが
照明され、緑色用の画像形成ユニット１２０Ｇによって形成された像光が投射レンズ３０
によって不図示のスクリーン上に投射される。この際、光源装置１２１からは、緑色の照
明光が射出される。さらに、青色用の画像形成ユニット１２０Ｂが投射位置に配置された
場合、光源装置１２１の光軸ＯＡ２と、図面左側の画像形成ユニット１２０Ｂの光軸ＯＡ
１と、投射レンズ３０の光軸ＯＡ０とが一致する。つまり、光源装置１２１によって画像
形成ユニット１２０Ｂが照明され、青色用の画像形成ユニット１２０Ｂによって形成され
た像光が投射レンズ３０によって不図示のスクリーン上に投射される。この際、光源装置
１２１からは、青色の照明光が射出される。
【００３４】
なお、上記第２実施形態では、光源装置１２１と投射レンズ３０とを共用としているが
、さらに均一化光学系２３Ｒ，２３Ｇ，２３Ｂを共用とすることもできる。この場合、液
晶ライトバルブ２５Ｒ，２５Ｇ，２５Ｂのみをスライド移動可能にして、投射位置に交互
に置き換えることになる。
【００３５】
以上、実施形態に即してこの発明を説明したが、この発明は、上記実施形態に限られる
ものではなく、その要旨を逸脱しない範囲において種々の態様において実施することが可
能であり、例えば次のような変形も可能である。
【００３６】
上記実施形態では、光源装置２１Ｒ，２１Ｇ，２１Ｂ，１２１としてＬＥＤ等の固体発
光素子を用いる場合について説明したが、光源装置２１Ｒ，２１Ｇ，２１Ｂを同様に発光
するランプ光源等に置き換えることができる。
【００３７】
また、上記実施形態では、液晶ライトバルブ２５Ｒ，２５Ｇ，２５Ｂを透過型の液晶パ
ネル２５ａからなるものとしているが、反射型の液晶パネルであっても、同様の使用方法
が可能である。
【００３８】
また、液晶ライトバルブ２５Ｒ，２５Ｇ，２５Ｂにおいて、液晶パネル２５ａに代えて
、デジタル・マイクロミラー・デバイスを用いることもできる。
【００３９】
また、本発明は、投射画像を観察する側から投射するフロント投射型プロジェクタに適
用する場合にも、投射画像を観察する側とは反対の側から投射するリア投射型プロジェク
タに適用する場合にも可能である。具体的には、リア投射型のテレビ、リア投射型の表示
部を有する遊技機に適用可能である。
【図面の簡単な説明】
【００４０】
【図１】（Ａ）、（Ｂ）は、第１実施形態に係るプロジェクタを説明する平面図及び背面図である。
【図２】画像形成ユニットの平面構造を概念的に説明する図である。
【図３】（Ａ）〜（Ｃ）は、図１に示すプロジェクタの動作を説明する図である。
【図４】図１に示すプロジェクタの動作を説明するフローチャートである。
【図５】第２実施形態に係るプロジェクタを説明する平面図である。
【符号の説明】
【００４１】
１０…プロジェクタ、  ２０Ｒ，２０Ｇ，２０Ｂ…画像形成ユニット、  ２１Ｒ，２１
Ｇ，２１Ｂ…光源装置、  ２１ａ…発光源、  ２１ｂ…集光ミラー、  ２３Ｒ，２３Ｇ，
２３Ｂ…均一化光学系、  ２５Ｒ，２５Ｇ，２５Ｂ…液晶ライトバルブ、  ２５ａ…液晶
パネル、  ２５ｂ，２５ｃ…偏光フィルタ、  ３０…投射レンズ、  ４０…移動装置、  
４１…スライドガイド、  ４３…スライドテーブル、  ４５…駆動装置、  ４５ｅ…ステ
ップモータ、  ５０…位置センサ、  ６０…制御装置、  ６１…電源部、  ６３…信号処
理部、  ６５…タイミング制御部、  ７１…フレキシブルケーブル、  ７５…ケース、  
ＩＰ…入射端面、  Ｌ１…照明光、  Ｌ２…像光、  ＯＡ０，ＯＡ１，ＯＡ２…光軸
【図１】
2008158275.tif 000003
【図２】
2008158275.tif 000004
【図３】
2008158275.tif 000005
【図４】
2008158275.tif 000006
【図５】
2008158275.tif 000007